(57)【特許請求の範囲】
【請求項１】
車両の周辺から収集されるマルチメディアデータに応じて生成されたファイルの位置情報を記録するＦＡＴ（Ｆｉｌｅ  Ａｌｌｏｃａｔｉｏｎ  Ｔａｂｌｅ）の内容の位置が固定されているＦＡＴ領域と、
ファイルシステムの原本およびバックアップ本を記録するＦＳ（Ｆｉｌｅ  Ｓｙｓｔｅｍ）領域と、
前記マルチメディアデータに含まれる映像データ、音声データ、およびマルチメディア情報データを記録するデータ領域とを含んでおり、
前記ＦＳ領域には、前記ファイルシステムの原本と、前記原本の損傷時に用いられる第１バックアップ本と、前記原本および前記第１バックアップ本の損傷時に用いられる第２バックアップ本とが記録されることを特徴とするＦＡＴファイルシステム。
【請求項２】
前記原本の損傷時、前記第１バックアップ本からファイルシステムを復旧し、前記原本および前記第１バックアップ本の損傷時、前記第２バックアップ本からファイルシステムを復旧することを特徴とする、請求項１に記載のＦＡＴファイルシステム。
【請求項３】
前記データ領域は、前記映像データおよび前記音声データを前ブロックから順次に記録し、前記映像データおよび前記音声データの情報を含む前記マルチメディア情報データは、予め設定された時間毎に後ブロックに相当する所定のブロックから順次に記録することを特徴とする、請求項１に記載のＦＡＴファイルシステム。
【請求項４】
前記ファイルが正常に終了されない場合、前記マルチメディア情報データから前記映像データおよび前記音声データを復旧することを特徴とする、請求項３に記載のＦＡＴファイルシステム。
【請求項５】
前記ファイルは、外部から設定された前記映像データの録画画質に応じて大きさと個数が異なって設定されることを特徴とする、請求項１に記載のＦＡＴファイルシステム。
【請求項６】
前記ファイルの大きさは、録画画質の高い順から低い順に所定比率で縮小されることを特徴とする、請求項５に記載のＦＡＴファイルシステム。
【請求項７】
前記ファイルの個数は、録画画質の低い順から高い順に減少することを特徴とする、請求項５に記載のＦＡＴファイルシステム。
【請求項８】
車両の周辺から収集されるマルチメディアデータに応じて生成されたファイルの位置を記録するＦＡＴ（File Allocation Table）の内容の位置が固定されているＦＡＴ領域と、ＦＳ領域と、データ領域とを含むＦＡＴファイルシステムを用いる車両用マルチメディアデータ保存装置において、
車両の周辺から発生するマルチメディアデータを収集するデータ収集部と、
前記マルチメディアデータの録画モードを設定する録画モード設定部と、
前記マルチメディアデータに含まれる映像データの録画画質を設定する録画画質設定部と、
設定された録画モードおよび録画画質に基づいて、前記ＦＡＴファイルシステムに記録される前記マルチメディアデータに対するファイルを生成し保存するメモリ部と、
前記ＦＡＴファイルシステムに記録される前記ファイルおよび前記マルチメディアデータを管理する制御部と
を含み、
前記制御部は、前記マルチメディアデータに含まれる映像データおよび音声データを前記データ領域に記録されるように前記データ領域に伝達し、前記ファイルを前記ＦＳ領域に伝達し、
前記ＦＳ領域には、前記ファイルシステムの原本と、前記原本の損傷時に用いられる第１バックアップ本と、前記原本および前記第１バックアップ本の損傷時に用いられる第２バックアップ本とが記録されることを特徴とする、ＦＡＴファイルシステムを用いる車両用マルチメディアデータ保存装置。
【請求項９】
前記録画モード設定部は、常時録画モード、駐車録画モード、イベント録画モード、および手動録画モードのうちのいずれかに録画モードを設定することを特徴とする、請求項８に記載のＦＡＴファイルシステムを用いる車両用マルチメディアデータ保存装置。
【請求項１０】
前記録画画質設定部は、高画質、中画質、および低画質のうちのいずれかに録画画質を設定することを特徴とする、請求項８に記載のＦＡＴファイルシステムを用いる車両用マルチメディアデータ保存装置。
【請求項１１】
前記録画画質設定部は、前記車両の前方または前記車両の後方から収集される前記映像データの録画画質をそれぞれ設定することを特徴とする、請求項８に記載のＦＡＴファイルシステムを用いる車両用マルチメディアデータ保存装置。
【請求項１２】
前記メモリ部は、
設定された録画画質に応じて生成される前記ファイルの大きさを選定するファイル大きさ選定部と、
設定された録画画質に応じて生成される前記ファイルの個数を選定するファイル個数選定部と、
設定された録画モードに基づいて、予め選定された前記ファイルの大きさと個数に応じて前記ファイルを生成するファイル生成部と、
生成された前記ファイルを保存する保存部と
を含むことを特徴とする、請求項８に記載のＦＡＴファイルシステムを用いる車両用マルチメディアデータ保存装置。
【請求項１３】
前記ファイル大きさ選定部は、前記ファイルの大きさを、録画画質の高い順から低い順に所定比率で縮小して設定することを特徴とする、請求項１２に記載のＦＡＴファイルシステムを用いる車両用マルチメディアデータ保存装置。
【請求項１４】
前記ファイル個数選定部は、前記ファイルの個数を、録画画質の低い順から高い順に減少させて設定することを特徴とする、請求項１２に記載のＦＡＴファイルシステムを用いる車両用マルチメディアデータ保存装置。
【請求項１５】
車両の周辺から収集されるマルチメディアデータに応じて生成されたファイルの位置を記録するＦＡＴ（File Allocation Table）の内容の位置が固定されているＦＡＴ領域と、ＦＳ領域と、データ領域とを含むＦＡＴファイルシステムを用いる車両用マルチメディアデータ保存方法において、
データ収集部によって、車両の周辺から発生するマルチメディアデータを収集するステップと、
録画モード設定部によって、前記マルチメディアデータの録画モードを設定するステップと、
録画画質設定部によって、前記マルチメディアデータに含まれる映像データの録画画質を設定するステップと、
メモリ部によって、設定された録画画質に基づいて、前記ＦＡＴファイルシステムに記録される前記マルチメディアデータに対するファイルを生成し保存するステップと、
制御部によって、前記ＦＡＴファイルシステムに記録される前記マルチメディアデータに含まれる映像データおよび音声データを前記データ領域に記録されるように伝達し、前記ファイルを前記ＦＳ領域に伝達するステップであり、前記ＦＳ領域には、前記ファイルシステムの原本と、前記原本の損傷時に用いられる第１バックアップ本と、前記原本および前記第１バックアップ本の損傷時に用いられる第２バックアップ本とが記録される、ステップと
を含むことを特徴とする、ＦＡＴファイルシステムを用いる車両用マルチメディアデータ保存方法。
【請求項１６】
設定された録画画質に基づいて、前記ＦＡＴファイルシステムに記録される前記マルチメディアデータに対するファイルを生成し保存するステップは、
設定された録画画質に応じて生成される前記ファイルの大きさを選定するステップと、
設定された録画画質に応じて生成される前記ファイルの個数を選定するステップと、
設定された前記ファイルの大きさと個数に応じて前記ファイルを生成するステップと、
生成された前記ファイルを保存するステップと
を含むことを特徴とする、請求項１５に記載のＦＡＴファイルシステムを用いる車両用マルチメディアデータ保存方法。
【請求項１７】
設定された録画画質に応じて生成される前記ファイルの大きさを選定するステップは、前記ファイルの大きさを、録画画質の高い順から低い順に所定比率で縮小して設定することを特徴とする、請求項１６に記載のＦＡＴファイルシステムを用いる車両用マルチメディアデータ保存方法。
【請求項１８】
設定された録画画質に応じて生成される前記ファイルの個数を選定するステップは、前記ファイルの個数を、録画画質の低い順から高い順に減少させて設定することを特徴とする、請求項１６に記載のＦＡＴファイルシステムを用いる車両用マルチメディアデータ保存方法。
【発明の詳細な説明】
【技術分野】
【０００１】
本発明は、ＦＡＴファイルシステム、これを用いる車両用マルチメディアデータ保存装置およびその方法（ＦＡＴ  ＦＩＬＥ  ＳＹＳＴＥＭ、ＶＥＨＩＣＬＥ  ＭＵＬＴＩ  ＭＥＤＩＡ  ＤＡＴＡ  ＳＴＯＲＩＮＧ  ＡＰＰＡＲＡＴＵＳ  ＡＮＤ  ＭＥＴＨＯＤ  ＴＨＡＴ  ＵＳＥＳ  ＩＴ）に関し、より詳細には、ＦＡＴ領域を固定し、ファイルシステムのバックアップをし、データ領域に記録されるファイルの位置を固定することにより、保存の信頼性を確保し、有事の際、ファイルの復旧を可能にするＦＡＴファイルシステム、これを用いる車両用マルチメディアデータ保存装置およびその方法に関する。
【背景技術】
【０００２】
自動車の安全と運転の利便性は、自動車技術開発の持続的な関心事項である。したがって、最近、ＩＴ分野の技術発展とともに、これを用いた運転支援システムが多様に発展している。
【０００３】
ドライブレコーダーも、多様な運転支援システムの一つであり、車両の運行および事故発生時、状況の情報を映像と音声で撮影および記録して、当時の状況をより正確に判断可能にするための装置である。
【０００４】
ドライブレコーダーは、車両の内部または外部状況の映像および音声を保存するために、端末機の内外部にカメラおよびマイクを設け、車両の運行全区間を録画する方式と、車両が一定の衝撃を受けた時にのみ録画可能な方式などで動作することができる。
【０００５】
車両の運行全区間を録画する方式は、車両の運行中に常時録画を行う方式であり、衝撃を受けた時にのみ録画する方式は、ドライブレコーダーに内蔵された衝撃感知センサの感知動作に応じて一定時間録画を行う方式である。
【０００６】
しかし、従来のドライブレコーダーは、１つの映像処理システムに基づいて動作して、当該映像処理システムが誤作動を起こしても、利用者が録画された映像データを別の媒体を介して確認する前までは誤作動が発生したかを知ることができず、事故が発生した後も、誤作動によって収集された映像資料が存在しない場合が多く、ドライブレコーダーの本来の機能を果たせない限界が存在する。
【０００７】
これに関連し、韓国公開特許第２０１２−００７４８９２号は、事故発生時、自動的に緊急救助信号を送信し、事故発生時の映像データに関して認可された人にのみアクセスさせるドライブレコーダー技術について開示しているが、この韓国公開特許に開示された技術は、事故が発生する過程を収集して保存するドライブレコーダーの本来の機能が１つの映像処理システムにより行われ、誤作動や故障状況が発生しても、これに備えられないという致命的な限界がある。
【発明の概要】
【発明が解決しようとする課題】
【０００８】
本発明は、上記の問題を解決するために発明されたものであって、より詳細には、ＦＡＴ領域を固定し、ファイルシステムのバックアップをし、データ領域に記録されるファイルの位置を固定することにより、保存の信頼性を確保し、有事の際、ファイルの復旧を可能にするＦＡＴファイルシステム、これを用いる車両用マルチメディアデータ保存装置およびその方法を提供することを目的とする。
【０００９】
また、本発明は、ファイルシステムのバックアップ本を備えるＦＡＴファイルシステム、これを用いる車両用マルチメディアデータ保存装置およびその方法を提供することを目的とする。
【００１０】
さらに、本発明は、映像データ、音声データが記録される時、マルチメディア情報データも別の位置に重複なく記録するＦＡＴファイルシステム、これを用いる車両用マルチメディアデータ保存装置およびその方法を提供することを目的とする。
【００１１】
なお、本発明は、設定される映像データの録画画質に応じてファイルの大きさおよび個数を異なって設定するＦＡＴファイルシステム、これを用いる車両用マルチメディアデータ保存装置およびその方法を提供することを目的とする。
【課題を解決するための手段】
【００１２】
上記の目的を達成するために、本発明の実施形態に係るＦＡＴファイルシステムは、車両の周辺から収集されるマルチメディアデータに応じて生成されたファイルの位置情報を記録するＦＡＴ（Ｆｉｌｅ  Ａｌｌｏｃａｔｉｏｎ  Ｔａｂｌｅ）の内容が固定されているＦＡＴ領域と、ファイルシステムの原本およびバックアップ本を記録するＦＳ（Ｆｉｌｅ  Ｓｙｓｔｅｍ）領域と、前記マルチメディアデータに含まれる映像データ、音声データ、およびマルチメディア情報データを記録するデータ領域とを含む。
【００１３】
また、前記ＦＳ領域には、前記ファイルシステムの原本と、前記原本の損傷時に用いられる第１バックアップ本と、前記原本および前記第１バックアップ本の損傷時に用いられる第２バックアップ本とが記録されることを特徴とする。
【００１４】
また、前記原本の損傷時、前記第１バックアップ本からファイルシステムを復旧し、前記原本および前記第１バックアップ本の損傷時、前記第２バックアップ本からファイルシステムを復旧することを特徴とする。
【００１５】
また、前記データ領域は、前記映像データおよび前記音声データを前ブロックから順次に記録し、前記映像データおよび前記音声データの情報を含む前記マルチメディア情報データは、予め設定された時間毎に後ブロックに相当する所定のブロックから順次に記録することを特徴とする。
【００１６】
また、前記ファイルが正常に終了されない場合、前記マルチメディア情報データから前記映像データおよび前記音声データを復旧することを特徴とする。
【００１７】
また、前記ファイルは、外部から設定された前記映像データの録画画質に応じて大きさと個数が異なって設定されることを特徴とする。
【００１８】
また、前記ファイルの大きさは、録画画質の高い順から低い順に所定比率で縮小されることを特徴とする。
【００１９】
また、前記ファイルの個数は、録画画質の低い順から高い順に減少することを特徴とする。
【００２０】
上記の目的を達成するために、本発明の実施形態に係るＦＡＴファイルシステムを用いる車両用マルチメディアデータ保存装置は、ＦＡＴ領域と、ＦＳ領域と、データ領域とを含むＦＡＴファイルシステムを用いる車両用マルチメディアデータ保存装置において、車両の周辺から発生するマルチメディアデータを収集するデータ収集部と、前記マルチメディアデータの録画モードを設定する録画モード設定部と、前記マルチメディアデータに含まれる映像データの録画画質を設定する録画画質設定部と、設定された録画モードおよび録画画質に基づいて、前記ＦＡＴファイルシステムに記録される前記マルチメディアデータに対するファイルを生成し保存するメモリ部と、前記ＦＡＴファイルシステムに記録される前記ファイルおよび前記マルチメディアデータを管理する制御部とを含み、前記制御部は、前記マルチメディアデータに含まれる映像データおよび音声データを前記データ領域に伝達し、前記ファイルを前記ＦＳ領域に伝達することを特徴とする。
【００２１】
また、前記録画モード設定部は、常時録画モード、駐車録画モード、イベント録画モード、および手動録画モードのうちのいずれかに録画モードを設定することを特徴とする。
【００２２】
また、前記録画画質設定部は、高画質、中画質、および低画質のうちのいずれかに録画画質を設定することを特徴とする。
【００２３】
また、前記録画画質設定部は、前記車両の前方または前記車両の後方から収集される前記映像データの録画画質をそれぞれ設定することを特徴とする。
【００２４】
また、前記メモリ部は、設定された録画画質に応じて生成される前記ファイルの大きさを選定するファイル大きさ選定部と、設定された録画画質に応じて生成される前記ファイルの個数を選定するファイル個数選定部と、設定された前記ファイルの大きさと個数に応じて前記ファイルを生成するファイル生成部と、生成された前記ファイルを保存する保存部とを含むことを特徴とする。
【００２５】
また、前記ファイル大きさ選定部は、前記ファイルの大きさを、録画画質の高い順から低い順に所定比率で縮小して設定することを特徴とする。
【００２６】
また、前記ファイル個数選定部は、前記ファイルの個数を、録画画質の低い順から高い順に減少させて設定することを特徴とする。
【００２７】
上記の目的を達成するために、本発明の実施形態に係るＦＡＴファイルシステムを用いる車両用マルチメディアデータ保存方法は、ＦＡＴ領域と、ＦＳ領域と、データ領域とを含むＦＡＴファイルシステムを用いる車両用マルチメディアデータ保存方法において、データ収集部によって、車両の周辺から発生するマルチメディアデータを収集するステップと、録画モード設定部によって、前記マルチメディアデータの録画モードを設定するステップと、録画画質設定部によって、前記マルチメディアデータに含まれる映像データの録画画質を設定するステップと、メモリ部によって、設定された録画モードおよび録画画質に基づいて、前記ＦＡＴファイルシステムに記録される前記マルチメディアデータに対するファイルを生成し保存するステップと、制御部によって、前記ＦＡＴファイルシステムに記録される前記マルチメディアデータに含まれる映像データおよび音声データを前記データ領域に伝達し、前記ファイルを前記ＦＳ領域に伝達するステップとを含む。
【００２８】
また、設定された録画画質に基づいて、前記ＦＡＴファイルシステムに記録される前記マルチメディアデータに対するファイルを生成し保存するステップは、設定された録画画質に応じて生成される前記ファイルの大きさを選定するステップと、設定された録画画質に応じて生成される前記ファイルの個数を選定するステップと、設定された前記ファイルの大きさと個数に応じて前記ファイルを生成するステップと、生成された前記ファイルを保存するステップとを含む。
【００２９】
また、設定された録画画質に応じて生成される前記ファイルの大きさを選定するステップは、前記ファイルの大きさを、録画画質の高い順から低い順に所定比率で縮小して設定することを特徴とする。
【００３０】
また、設定された録画画質に応じて生成される前記ファイルの個数を選定するステップは、前記ファイルの個数を、録画画質の低い順から高い順に減少させて設定することを特徴とする。
【発明の効果】
【００３１】
上記の構成を有する本発明に係るＦＡＴファイルシステム、これを用いる車両用マルチメディアデータ保存装置およびその方法は、ＦＡＴ領域およびデータ領域に記録されるファイルの位置を固定し、ファイルシステムのバックアップ本を備えることにより、ハードウェア的な欠陥が発生しても、ファイルの復旧を可能にする効果がある。
【００３２】
また、本発明は、映像データ、音声データが記録される時、マルチメディア情報データも別の位置に重複なく記録することにより、データの損失を最小化させる効果がある。
【００３３】
さらに、本発明は、設定される映像データの録画画質に応じてファイルの大きさおよび個数を異なって設定することにより、メモリ空間の活用度を極大化させる効果がある。
【図面の簡単な説明】
【００３４】
【図１】本発明に係るＦＡＴファイルシステムの構造を説明するための図である。
【図２】図１のデータ領域の細部構造を説明するための図である。
【図３】本発明に係るＦＡＴファイルシステムを用いる車両用マルチメディアデータ保存装置の構成を説明するための図である。
【図４】本発明に係るＦＡＴファイルシステムを用いる車両用マルチメディアデータ保存装置に採用されるメモリ部の構成を説明するための図である。
【図５】本発明に係るＦＡＴファイルシステムを用いる車両用マルチメディアデータ保存方法の手順を説明するための図である。
【図６】本発明に係るＦＡＴファイルシステムを用いる車両用マルチメディアデータ保存方法において、ファイルを生成し保存する方法の手順を説明するための図である。
【発明を実施するための形態】
【００３５】
以下、本発明の属する技術分野における通常の知識を有する者が本発明の技術的思想を容易に実施できる程度に詳細に説明するために、本発明の最も好ましい実施形態を添付図面を参照して説明する。まず、各図面の構成要素に参照符号を付加するにあたり、同一の構成要素については、たとえ他の図面上に表示されてもできるだけ同一の符号を有するようにしていることに留意しなければならない。また、本発明を説明するにあたり、かかる公知の構成または機能に対する具体的な説明が本発明の要旨をあいまいにし得ると判断された場合には、その詳細な説明は省略する。
【００３６】
以下、本発明の実施形態に係るＦＡＴファイルシステム、これを用いる車両用マルチメディアデータ保存装置およびその方法について、添付した図面を参照して詳細に説明する。
【００３７】
図１は、本発明に係るＦＡＴファイルシステムの構造を説明するための図であり、図２は、図１のデータ領域の細部構造を説明するための図である。
【００３８】
図１を参照して説明すれば、本発明に係るＦＡＴファイルシステム１００は、ＦＡＴ領域１１０と、ＦＳ領域１２０と、データ領域１３０とを含む。
【００３９】
ＦＡＴ領域１１０は、車両の周辺から収集されるマルチメディアデータに応じて生成されたファイルの位置情報を記録するＦＡＴ（Ｆｉｌｅ  Ａｌｌｏｃａｔｉｏｎ  Ｔａｂｌｅ）フィールドの位置が固定されている。
【００４０】
ＦＳ（Ｆｉｌｅ  Ｓｙｓｔｅｍ）領域１２０は、ファイルシステムの原本およびバックアップ本を記録する。ＦＳ領域１２０には、ファイルシステムの原本と、原本の損傷時に用いられる第１バックアップ本と、原本および第１バックアップ本の損傷時に用いられる第２バックアップ本とが記録される。したがって、本発明は、ＦＳ領域１２０に記録されたバックアップ本によって、原本が損傷しても復旧が可能である。この時、バックアップ本の保存時、ＣＨＥＣＫＳＵＭとＣＨＥＣＫＳＵＭバックアップ値を保存しておく。したがって、原本に異常がある場合、原本、第１バックアップ本、および第２バックアップ本のＦＳのＣＨＥＣＫＳＵＭバックアップ値を求め、バックアップしておいたＣＨＥＣＫＳＵＭと比較してＦＳを探すことで異常のないファイルシステムを探すことができる。
【００４１】
データ領域１３０は、マルチメディアデータに含まれる映像データおよび音声データを記録する。データ領域１３０は、映像データと、音声データと、映像データおよび音声データの情報を含むマルチメディア情報データとを予め指定された位置に記録する。すなわち、図２に示されているように、映像データおよび音声データを前ブロックから順次に記録し、マルチメディア情報データは、予め設定された時間毎に後ブロックに相当する所定のブロックから順次に記録する。したがって、本発明は、映像データ、音声データ、およびマルチメディア情報データがそれぞれ設定された位置に重複なく記録され、映像データおよび音声データが前ブロックから順次に記録される時、マルチメディア情報データも別の指定位置に記録され、データの損失を最小化する。したがって、ファイルが正常に終了されない場合、マルチメディア情報データから映像データおよび音声データを復旧して、録画ファイルの復元が可能になる。
【００４２】
図３は、本発明に係るＦＡＴファイルシステムを用いる車両用マルチメディアデータ保存装置の構成を説明するための図である。
【００４３】
図３を参照して説明すれば、本発明に係るＦＡＴファイルシステムを用いる車両用マルチメディアデータ保存装置２００は、データ収集部２１０と、録画モード設定部２２０と、録画画質設定部２３０と、メモリ部２４０と、制御部２５０とを含む。
【００４４】
まず、本発明に係る車両用マルチメディアデータ保存装置200は、車両の前方または後方から収集されるマルチメディアデータを、先に説明したＦＡＴファイルシステム１００を用いて保存し記録する装置に関する。この時、ＦＡＴファイルシステム１００は、車両用マルチメディアデータ保存装置に採用されるメモリ部２４０に保存されるファイルを体系的に整理できるように支援する別のＯＳ形態または付加プログラムの一部を意味する。
【００４５】
データ収集部２１０は、車両の周辺から発生するマルチメディアデータを収集する。データ収集部２１０は、車両の内部または外部状況の映像を収集するためにカメラを含み、音声を収集するためのマイクを別途にさらに備えることができる。また、活用方式により、１チャンネルの場合に１つのカメラ、２チャンネルの場合に２つのカメラ、４チャンネルの場合に４つのカメラなどを備えるといったように、チャンネルの数に応じて映像を収集するカメラの個数を選択的に変更して適用することができる。
【００４６】
録画モード設定部２２０は、データ収集部２１０から収集されるマルチメディアデータの録画モードを設定する。録画モード設定部２２０は、常時録画モード、駐車録画モード、イベント録画モード、および手動録画モードのうちのいずれかに録画モードを設定することができる。この時、常時録画モードは、車両が運行中に収集されるマルチメディアデータを録画するものであり、駐車録画モードは、車両が駐車中に収集されるマルチメディアデータを録画するものであり、イベント録画モードは、外部から衝撃が加えられた瞬間のマルチメディアデータを録画するものであり、手動録画モードは、利用者が外観に備えられる別のキーフレームを用いて、録画時間と状況を設定してマルチメディアデータを録画するものである。
【００４７】
録画画質設定部２３０は、マルチメディアデータに含まれる映像データの録画画質を設定する。すなわち、録画画質設定部２３０は、外観に備えられる別のキーフレームを用いて、利用者が高画質、中画質、および低画質のうちのいずれかに録画画質を設定可能にする。この時、利用者は、前方から収集される映像データと後方から収集される映像データの録画画質を異なって設定することができる。
【００４８】
メモリ部２４０は、設定された録画モードおよび録画画質に基づいて、ＦＡＴファイルシステムに記録されるマルチメディアデータに対するファイルを生成し保存する。メモリ部２４０は、設定された録画画質に応じて生成されるファイルの大きさおよび個数を選定し、これに基づいてファイルを生成し保存する。
【００４９】
制御部２５０は、ＦＡＴファイルシステムに記録されるファイルおよびマルチメディアデータを管理する。制御部２５０は、マルチメディアデータに含まれる映像データおよび音声データをＦＡＴファイルシステムのデータ領域に伝達し、ファイルをＦＡＴファイルシステムのＦＳ領域に伝達する。したがって、ＦＡＴファイルシステムのＦＳ領域は、伝達されたファイルシステムの原本、第１バックアップ本、および第２バックアップ本を記録し、ＦＡＴファイルシステムのデータ領域は、伝達された映像データ、音声データ、およびマルチメディア情報データをそれぞれ指定された位置に記録する。
【００５０】
図４は、本発明に係るＦＡＴファイルシステムを用いる車両用マルチメディアデータ保存装置に採用されるメモリ部の構成を説明するための図である。
【００５１】
図４を参照して説明すれば、本発明に係るメモリ部２４０は、設定された録画モードおよび録画画質に基づいて、ＦＡＴファイルシステム１００に記録されるマルチメディアデータに対するファイルを生成し保存する。
【００５２】
このために、メモリ部２４０は、ファイル大きさ選定部２４１と、ファイル個数選定部２４２と、ファイル生成部２４３と、保存部２４４とを含む。
【００５３】
ファイル大きさ選定部２４１は、設定された録画画質に応じて生成されるファイルの大きさを選定する。ファイル大きさ選定部２４１は、録画画質の高い順から低い順にファイルの大きさを所定比率で縮小して選定する。例えば、高画質はファイルの大きさを７０ＭＢ、中画質はファイルの大きさを６０ＭＢ、低画質はファイルの大きさを５０ＭＢに設定することができるが、これに限定されるものではない。
【００５４】
ファイル個数選定部２４２は、設定された録画画質に応じて生成されるファイルの個数を選定する。ファイル個数選定部２４２は、録画画質の低い順から高い順にファイルの個数を減少させて選定する。すなわち、高画質に設定された場合、低画質に設定された場合より、生成されるファイルの個数が少なくなる。
【００５５】
ファイル生成部２４３は、設定された録画モードに基づいて、予め選定されたファイルの大きさと個数に応じてファイルを生成する。例えば、ファイル生成部２４３は、録画画質が高画質に設定された場合、常時録画モード時には、７０ＭＢに１分分量のマルチメディアデータを含むファイルを生成し、駐車録画モード時には、７０ＭＢに１０〜２０分分量のマルチメディアデータを含むファイルを生成する。一方、ファイル生成部２４３は、録画画質が低画質に設定された場合、常時録画モード時には、５０ＭＢに１分分量のマルチメディアデータを含むファイルを生成し、駐車録画モード時には、５０ＭＢに１０〜２０分でない３０〜４０分分量のマルチメディアデータを含むファイルを生成する。
【００５６】
保存部２４４は、生成されたファイルを保存する。
【００５７】
図５は、本発明に係るＦＡＴファイルシステムを用いる車両用マルチメディアデータ保存方法の手順を説明するための図である。
【００５８】
図５を参照して説明すれば、本発明に係るＦＡＴファイルシステムを用いる車両用マルチメディアデータ保存方法は、先に説明したＦＡＴファイルシステムを用いる車両用マルチメディアデータ保存装置を用いるもので、重複する説明は省略する。
【００５９】
まず、車両の周辺から発生するマルチメディアデータを収集する（Ｓ１００）。Ｓ１００ステップは、車両の内部または外部状況の映像を収集するためにカメラを含み、音声を収集するためのマイクを別途にさらに備えることができる。
【００６０】
次に、収集されるマルチメディアデータの録画モードを設定する（Ｓ１１０）。Ｓ１１０ステップは、常時録画モード、駐車録画モード、イベント録画モード、および手動録画モードのうちのいずれかに録画モードを設定することができる。
【００６１】
次に、録画画質設定部は、マルチメディアデータに含まれる映像データの録画画質を設定する（Ｓ１２０）。Ｓ１２０ステップは、高画質、中画質、および低画質のうちのいずれかに録画画質を設定可能にする。
【００６２】
次に、設定された録画モードおよび録画画質に基づいて、ＦＡＴファイルシステムに記録されるマルチメディアデータに対するファイルを生成し保存する（Ｓ１３０）。Ｓ１３０ステップは、設定された録画モードに基づいて、予め選定されたファイルの大きさと個数に応じてファイルを生成し保存する。
【００６３】
次に、ＦＡＴファイルシステムに記録されるマルチメディアデータに含まれる映像データおよび音声データをデータ領域に伝達し、ファイルをＦＳ領域に伝達する（Ｓ１４０）。Ｓ１４０ステップにおいて、ＦＡＴファイルシステムのＦＳ領域は、伝達されたファイルシステムの原本、第１バックアップ本、および第２バックアップ本を記録し、ＦＡＴファイルシステムのデータ領域は、伝達された映像データ、音声データ、およびマルチメディア情報データをそれぞれ指定された位置に記録する。
【００６４】
図６は、本発明に係るＦＡＴファイルシステムを用いる車両用マルチメディアデータ保存方法において、ファイルを生成し保存する方法の手順を説明するための図である。
【００６５】
図６を参照して説明すれば、ＦＡＴファイルシステムを用いる車両用マルチメディアデータ保存方法において、ファイルを生成し保存する方法は、設定された録画モードおよび録画画質に基づいて、ＦＡＴファイルシステムに記録されるマルチメディアデータに対するファイルを生成し保存する。
【００６６】
より詳細には、まず、設定された録画画質に応じて生成されるファイルの大きさを選定する（Ｓ２００）。Ｓ２００ステップは、録画画質の高い順から低い順にファイルの大きさを所定比率で縮小して選定する。例えば、高画質はファイルの大きさを７０ＭＢ、中画質はファイルの大きさを６０ＭＢ、低画質はファイルの大きさを５０ＭＢに選定することができるが、これに限定されるものではない。
【００６７】
次に、設定された録画画質に応じて生成されるファイルの個数を選定する（Ｓ２１０）。Ｓ２１０ステップは、録画画質の低い順から高い順にファイルの個数を減少させて選定する。すなわち、高画質に設定された場合、低画質に設定された場合より、生成されるファイルの個数が少なくなる。
【００６８】
次に、設定された録画モードに基づいて、予め選定されたファイルの大きさと個数に応じてファイルを生成する（Ｓ２２０）。Ｓ２２０ステップにおいて、録画画質が高画質に設定された場合、常時録画モード時には、７０ＭＢに１分分量のマルチメディアデータを含むファイルを生成し、駐車録画モード時には、７０ＭＢに１０〜２０分分量のマルチメディアデータを含むファイルを生成する。一方、録画画質が低画質に設定された場合、常時録画モード時には、５０ＭＢに１分分量のマルチメディアデータを含むファイルを生成し、駐車録画モード時には、５０ＭＢに１０〜２０分でない３０〜４０分分量のマルチメディアデータを含むファイルを生成する。
【００６９】
次に、生成されたファイルを保存する（Ｓ２３０）。
【００７０】
このように、本発明に係るＦＡＴファイルシステム、これを用いる車両用マルチメディアデータ保存装置およびその方法は、ＦＡＴ領域およびデータ領域に記録されるファイルの位置を固定し、ファイルシステムのバックアップ本を備えることにより、ハードウェア的な欠陥が発生しても、ファイルの復旧を可能にする。
【００７１】
また、本発明は、映像データ、音声データが記録される時、マルチメディアデータも別の位置に重複なく記録することにより、データの損失を最小化させることができる。
【００７２】
さらに、本発明は、設定される映像データの録画画質に応じてファイルの大きさおよび個数を異なって設定することにより、メモリ空間の活用度を極大化させることができる。
【００７３】
以上、本発明に係る好ましい実施形態について説明したが、多様な形態に変形が可能であり、本技術分野における通常の知識を有する者であれば、本発明の特許請求の範囲を逸脱することなく多様な変形例および修正例を実施できると理解される。
［発明の項目］
［項目１］
車両の周辺から収集されるマルチメディアデータに応じて生成されたファイルの位置情報を記録するＦＡＴ（Ｆｉｌｅ  Ａｌｌｏｃａｔｉｏｎ  Ｔａｂｌｅ）の内容が固定されているＦＡＴ領域と、
ファイルシステムの原本およびバックアップ本を記録するＦＳ（Ｆｉｌｅ  Ｓｙｓｔｅｍ）領域と、
前記マルチメディアデータに含まれる映像データ、音声データ、およびマルチメディア情報データを記録するデータ領域とを含むことを特徴とするＦＡＴファイルシステム。
［項目２］
前記ＦＳ領域には、前記ファイルシステムの原本と、前記原本の損傷時に用いられる第１バックアップ本と、前記原本および前記第１バックアップ本の損傷時に用いられる第２バックアップ本とが記録されることを特徴とする、項目１に記載のＦＡＴファイルシステム。
［項目３］
前記原本の損傷時、前記第１バックアップ本からファイルシステムを復旧し、前記原本および前記第１バックアップ本の損傷時、前記第２バックアップ本からファイルシステムを復旧することを特徴とする、項目２に記載のＦＡＴファイルシステム。
［項目４］
前記データ領域は、前記映像データおよび前記音声データを前ブロックから順次に記録し、前記映像データおよび前記音声データの情報を含む前記マルチメディア情報データは、予め設定された時間毎に後ブロックに相当する所定のブロックから順次に記録することを特徴とする、項目１に記載のＦＡＴファイルシステム。
［項目５］
前記ファイルが正常に終了されない場合、前記マルチメディア情報データから前記映像データおよび前記音声データを復旧することを特徴とする、項目４に記載のＦＡＴファイルシステム。
［項目６］
前記ファイルは、外部から設定された前記映像データの録画画質に応じて大きさと個数が異なって設定されることを特徴とする、項目１に記載のＦＡＴファイルシステム。
［項目７］
前記ファイルの大きさは、録画画質の高い順から低い順に所定比率で縮小されることを特徴とする、項目６に記載のＦＡＴファイルシステム。
［項目８］
前記ファイルの個数は、録画画質の低い順から高い順に減少することを特徴とする、項目６に記載のＦＡＴファイルシステム。
［項目９］
ＦＡＴ領域と、ＦＳ領域と、データ領域とを含むＦＡＴファイルシステムを用いる車両用マルチメディアデータ保存装置において、
車両の周辺から発生するマルチメディアデータを収集するデータ収集部と、
前記マルチメディアデータの録画モードを設定する録画モード設定部と、
前記マルチメディアデータに含まれる映像データの録画画質を設定する録画画質設定部と、
設定された録画モードおよび録画画質に基づいて、前記ＦＡＴファイルシステムに記録される前記マルチメディアデータに対するファイルを生成し保存するメモリ部と、
前記ＦＡＴファイルシステムに記録される前記ファイルおよび前記マルチメディアデータを管理する制御部と
を含み、
前記制御部は、前記マルチメディアデータに含まれる映像データおよび音声データを前記データ領域に伝達し、前記ファイルを前記ＦＳ領域に伝達することを特徴とする、ＦＡＴファイルシステムを用いる車両用マルチメディアデータ保存装置。
［項目１０］
前記録画モード設定部は、常時録画モード、駐車録画モード、イベント録画モード、および手動録画モードのうちのいずれかに録画モードを設定することを特徴とする、項目９に記載のＦＡＴファイルシステムを用いる車両用マルチメディアデータ保存装置。
［項目１１］
前記録画画質設定部は、高画質、中画質、および低画質のうちのいずれかに録画画質を設定することを特徴とする、項目９に記載のＦＡＴファイルシステムを用いる車両用マルチメディアデータ保存装置。
［項目１２］
前記録画画質設定部は、前記車両の前方または前記車両の後方から収集される前記映像データの録画画質をそれぞれ設定することを特徴とする、項目９に記載のＦＡＴファイルシステムを用いる車両用マルチメディアデータ保存装置。
［項目１３］
前記メモリ部は、
設定された録画画質に応じて生成される前記ファイルの大きさを選定するファイル大きさ選定部と、
設定された録画画質に応じて生成される前記ファイルの個数を選定するファイル個数選定部と、
設定された録画モードに基づいて、予め選定された前記ファイルの大きさと個数に応じて前記ファイルを生成するファイル生成部と、
生成された前記ファイルを保存する保存部と
を含むことを特徴とする、項目９に記載のＦＡＴファイルシステムを用いる車両用マルチメディアデータ保存装置。
［項目１４］
前記ファイル大きさ選定部は、前記ファイルの大きさを、録画画質の高い順から低い順に所定比率で縮小して設定することを特徴とする、項目１３に記載のＦＡＴファイルシステムを用いる車両用マルチメディアデータ保存装置。
［項目１５］
前記ファイル個数選定部は、前記ファイルの個数を、録画画質の低い順から高い順に減少させて設定することを特徴とする、項目１３に記載のＦＡＴファイルシステムを用いる車両用マルチメディアデータ保存装置。
［項目１６］
ＦＡＴ領域と、ＦＳ領域と、データ領域とを含むＦＡＴファイルシステムを用いる車両用マルチメディアデータ保存方法において、
データ収集部によって、車両の周辺から発生するマルチメディアデータを収集するステップと、
録画モード設定部によって、前記マルチメディアデータの録画モードを設定するステップと、
録画画質設定部によって、前記マルチメディアデータに含まれる映像データの録画画質を設定するステップと、
メモリ部によって、設定された録画画質に基づいて、前記ＦＡＴファイルシステムに記録される前記マルチメディアデータに対するファイルを生成し保存するステップと、
制御部によって、前記ＦＡＴファイルシステムに記録される前記マルチメディアデータに含まれる映像データおよび音声データを前記データ領域に伝達し、前記ファイルを前記ＦＳ領域に伝達するステップと
を含むことを特徴とする、ＦＡＴファイルシステムを用いる車両用マルチメディアデータ保存方法。
［項目１７］
設定された録画画質に基づいて、前記ＦＡＴファイルシステムに記録される前記マルチメディアデータに対するファイルを生成し保存するステップは、
設定された録画画質に応じて生成される前記ファイルの大きさを選定するステップと、
設定された録画画質に応じて生成される前記ファイルの個数を選定するステップと、
設定された前記ファイルの大きさと個数に応じて前記ファイルを生成するステップと、
生成された前記ファイルを保存するステップと
を含むことを特徴とする、項目１６に記載のＦＡＴファイルシステムを用いる車両用マルチメディアデータ保存方法。
［項目１８］
設定された録画画質に応じて生成される前記ファイルの大きさを選定するステップは、前記ファイルの大きさを、録画画質の高い順から低い順に所定比率で縮小して設定することを特徴とする、項目１７に記載のＦＡＴファイルシステムを用いる車両用マルチメディアデータ保存方法。
［項目１９］
設定された録画画質に応じて生成される前記ファイルの個数を選定するステップは、前記ファイルの個数を、録画画質の低い順から高い順に減少させて設定することを特徴とする、項目１７に記載のＦＡＴファイルシステムを用いる車両用マルチメディアデータ保存方法。
【図１】
0006336618.tif 000002
【図２】
0006336618.tif 000003
【図３】
0006336618.tif 000004
【図４】
0006336618.tif 000005
【図５】
0006336618.tif 000006
【図６】
0006336618.tif 000007